(57)【要約】      （修正有）【課題】ネックの反りを低減することのできる弦楽器及び弦楽器の製造方法を提供する。【解決手段】弦楽器は、ネック１１０と、ネック１１０と接合するボディと、を備え、ボディは、表板と、裏板と、表板と裏板との間に設けられる側板１３０と、を備え、ネック１１０の一端部は、側板１３０が嵌合する溝１１０ｅを有する。ネック１１０の溝１１０ｅに側板１３０の端部１３０ａを嵌合させるため、ネック１１０をより強固にボディに接合することができる。このため、弦の張力によってもネック１１０が反りづらくなっている。【選択図】図３
2014203002.tif 000002
【特許請求の範囲】
【請求項１】
ネックと、該ネックと接合するボディと、を備える弦楽器であって、
前記ボディは、表板と、裏板と、該表板と該裏板との間に設けられる側板と、を備え、
前記ネックの一端部は、前記側板が嵌合する溝を有する、
ことを特徴とする弦楽器。
【請求項２】
前記ネックに付設された指板をさらに備える、
ことを特徴とする請求項１に記載の弦楽器。
【請求項３】
前記溝の幅は、２ｍｍ〜３ｍｍである、
ことを特徴とする請求項１又は２に記載の弦楽器。
【請求項４】
前記ボディの内側に架設された突っ張り部材をさらに備える、
ことを特徴とする請求項１乃至３のいずれか１項に記載の弦楽器。
【請求項５】
前記突っ張り部材の端部の幅は、３．５ｍｍ〜４ｍｍである、
ことを特徴とする請求項４に記載の弦楽器。
【請求項６】
前記突っ張り部材の略中央部の幅は、１０ｍｍ〜１１ｍｍである、
ことを特徴とする請求項４又は５に記載の弦楽器。
【請求項７】
ネックと、該ネックと接合し、表板、裏板、及び該表板と該裏板との間に設けられる側板を備えるボディと、から構成される弦楽器の製造方法であって、
前記ネックの一端部に溝を形成する工程と、
前記溝に前記側板を嵌合させる工程と、
を含む弦楽器の製造方法。
【発明の詳細な説明】
【技術分野】
【０００１】
本発明は、弦楽器及び弦楽器の製造方法に関する。
【背景技術】
【０００２】
バイオリンをはじめとする弦楽器には、主に指板を支持する役割を果たすネックや、主に楽器本体の強度を補強する役割を果たすブロック（アッパーブロック、ロワーブロック、及びコーナーブロック）などが備えられている。
【０００３】
古来より、アッパーブロックをはじめとするすべてのブロックをボディの内部に設けた後に、ネックをボディに取り付ける手法によって、弦楽器が作製されてきた。
【０００４】
より具体的には、従来のバイオリンでは、図５に示すように、アッパーブロック１０をボディ５０の内側（側板３０の内側）に取り付けた（図５（ａ））後に、ネック２０をボディ５０に接合していた（図５（ｂ））。
【０００５】
弦楽器には弦が張られるが、弦によって、ネックには常に高い張力がかかっている。弦を張ったままにしておくと、弦はテールピース側に常に強く引っ張られるので、ネックとボディとの連結部位を中心にして、経時的にネックが反る現象がみられる。その結果、バイオリンのように指板を備える弦楽器では、指板とボディとの間に隙間があるため、指板のテールピース側の端が、ボディの方向に下がってくる。これが指板下がりといわれる現象である。指板下がりが生じると、ハイポジションで演奏する際に、弦を指で抑えにくくなる。したがって、指板下がりを回避するために、定期的にネックを調整する必要があった。
【０００６】
このようなネックの反りによる指板下がりを防止する手段が報告されている。非特許文献１には、指板下がり防止パッドが記載されている。これは、指板と表板との隙間に挿入することで、指板が下がってくるのを物理的に防止するためのものである。
【先行技術文献】
【非特許文献】
【０００７】
【非特許文献１】佐々木朗、これ一冊ですべて分かる  弦楽器のしくみとメンテナンス  マイスターのＱ＆Ａ、１９９９年
【発明の概要】
【発明が解決しようとする課題】
【０００８】
しかしながら、非特許文献１に記載の手段では、楽器表面に塗布されたニスが剥がれる場合や、パッドを指板と表板との隙間にきつく差し込みすぎると表板が変形する場合があるという難点を有していた。また、ネックと指板との接着が不十分である場合には、指板が剥がれる場合があるという点で課題を残していた。
【０００９】
本発明は、上記事情に鑑みてなされたものであり、ネックの反りを低減することのできる弦楽器及び弦楽器の製造方法を提供することを目的とする。
【課題を解決するための手段】
【００１０】
上記目的を達成するため、本発明の第１の観点に係る弦楽器は、
ネックと、該ネックと接合するボディと、を備える弦楽器であって、
前記ボディは、表板と、裏板と、該表板と該裏板との間に設けられる側板と、を備え、
前記ネックの一端部は、前記側板が嵌合する溝を有する。
【００１１】
前記弦楽器は、前記ネックに付設された指板をさらに備えていてもよい。
【００１２】
前記溝の幅は、２ｍｍ〜３ｍｍであってもよい。
【００１３】
前記弦楽器は、前記ボディの内側に架設された突っ張り部材をさらに備えていてもよい。
【００１４】
前記突っ張り部材の端部の幅は、３．５ｍｍ〜４ｍｍであってもよい。
【００１５】
前記突っ張り部材の略中央部の幅は、１０ｍｍ〜１１ｍｍであってもよい。
【００１６】
本発明の第２の観点に係る弦楽器の製造方法は、
ネックと、該ネックと接合し、表板、裏板、及び該表板と該裏板との間に設けられる側板を備えるボディと、から構成される弦楽器の製造方法であって、
前記ネックの一端部に溝を形成する工程と、
前記溝に前記側板を嵌合させる工程と、
を含む。
【発明の効果】
【００１７】
本発明によれば、ネックの反りを低減することのできる弦楽器及び弦楽器の製造方法を提供することができる。
【図面の簡単な説明】
【００１８】
【図１】本発明の一実施形態によるバイオリンを模式的に示す斜視図である。
【図２】本発明の一実施形態によるバイオリンの表板を外した状態を模式的に示す斜視図である。
【図３】本発明の一実施形態によるバイオリンを模式的に示す図である。（ａ）はネックを模式的に示す側面図であり、（ｂ）はネックの一端部を模式的に示す背面図であり、（ｃ）はネックの一端部を模式的に示す斜視図であり、（ｄ）はネックの一端部に側板を嵌め込んだ状態を模式的に示す背面図である。
【図４】本発明の一実施形態によるバイオリンを模式的に示す図である。（ａ）は突っ張り部材を模式的に示す上面図であり、（ｂ）は突っ張り部材を設けた状態のバイオリンを模式的に示す斜視図であり、（ｃ）はロワーブロックを模式的に示す図である。
【図５】従来のバイオリンを模式的に示す図である。（ａ）は表板を外した状態を模式的に示す要部正面図であり、（ｂ）は従来のバイオリンの作製工程を模式的に示す斜視図である。
【発明を実施するための形態】
【００１９】
以下、本発明の実施形態について詳細に説明する。
【００２０】
本発明の実施形態に係るバイオリン１００を、図面を参照して説明する。
【００２１】
本発明の実施形態に係るバイオリン１００は、図１に示すように、ネック１１０と、ボディ１０５と、指板１２０と、弦１９０と、を備える。ネック１１０は、その一端部において、ボディ１０５に接合している。また、指板１２０は、ネック１１０上に付設され、ボディ１０５との間に所定の隙間を有する。また、弦１９０は、ネック１１０に設けられたペグ１９２と、ボディ１０５に設けられたテールピース１９４との間に、所定の張力を有するように張られている。なお、指板１２０及び弦１９０は、公知のバイオリンと同様に構成されている。以下では、本発明の実施形態に係るバイオリン１００のボディ１０５及びネック１１０について、詳細に説明する。
【００２２】
図１に示すように、本発明の実施形態に係るバイオリン１００のボディ１０５は、表板１８０と、裏板１７０と、側板１３０と、を備える。側板１３０は、表板１８０と裏板１７０との間に設けられている。より具体的には、表板１８０と裏板１７０とは、互いに所定の間隔を有するように平行に配置される。そして、帯状の側板１３０が、表板１８０及び裏板１７０の周縁部に沿って、表板１８０及び裏板１７０に固定されている。表板１８０及び裏板１７０は、公知のバイオリンと同様に構成される。また、側板１３０は、後述するネック１１０との接合構造を除いて、公知のバイオリンと同様に構成される。
【００２３】
側板１３０は、公知のバイオリンと同様に６枚の帯状の板で構成されており、図１に示すように、表板１８０及び裏板１７０の周縁部に沿って、表板１８０及び裏板１７０に固定されている。側板１３０は、ネック１１０側において、後述するように、ネック１１０の溝１１０ｅに嵌合する端部１３０ａ（図３（ｄ））を有する。
【００２４】
図２に示すように、ボディ１０５の内部には、ロワーブロック１５０と４個のコーナーブロック１６０とが設けられている。ロワーブロック１５０及びコーナーブロック１６０は、側板１３０の内側に設けられている。ロワーブロック１５０及びコーナーブロック１６０の形状及び設置方法は、公知のバイオリンと同様である。
【００２５】
図３（ａ）に示すように、ネック１１０は、係合部１１０ａと、ボタン連結部１１０ｂと、把持部１１０ｃと、ペグ部１１０ｄと、溝１１０ｅと、からなる。
【００２６】
把持部１１０ｃ及びペグ部１１０ｄは、図３（ａ）に示すように、公知のバイオリンと同様の形状をなす。
【００２７】
係合部１１０ａは、図３（ｂ）、図３（ｃ）に示すように、ネック１１０の一端部において、半円柱状の形状をなしている。ネック１１０の係合部１１０ａは、後述するように、アッパーブロックとしての役割を有する。
【００２８】
ボタン連結部１１０ｂは、図３（ｂ）、図３（ｃ）に示すように、係合部１１０ａと同様に半円柱状の形状をなすが、その半円形の直径は、係合部１１０ａの半円形の直径よりも小さい。図３（ａ）に示すように、ボタン連結部１１０ｂは、裏板１７０側から表板１８０側に向かって、把持部１１０ｃに繋がっている。また、ボタン連結部１１０ｂは、裏板１７０側において、裏板１７０に設けられたボタン（図示せず）と接着される。
【００２９】
溝１１０ｅは、図３（ａ）−図３（ｃ）に示すように、ネック１１０の一端部において、係合部１１０ａとボタン連結部１１０ｂとの間に、裏板１７０側から表板１８０側に向かって設けられている。ネック１１０の溝１１０ｅには、側板１３０が嵌合される。具体的には、図３（ｄ）に示すように、溝１１０ｅに、側板１３０の端部１３０ａが、裏板側から嵌め込まれる。ネック１１０の一端部の溝１１０ｅに側板１３０が嵌合することで、ネック１１０はボディ１０５と接合する。その結果、ネック１１０の係合部１１０ａは、ボディ１０５の内側に配置されて（図２、図３（ｄ））、アッパーブロックとして機能することとなる。すなわち、係合部１１０ａは、アッパーブロックとして、楽器本体の強度を保持し、演奏時の弦１９０の振動を裏板１７０側に伝える役割を果たす。
【００３０】
なお、ネック１１０の溝１１０ｅの深さＨ（図３（ａ））は、３０ｍｍ〜３２ｍｍが好適であり、３０ｍｍ〜３２ｍｍの範囲では、溝１１０ｅの深さＨが側板１３０の高さと略同一となり、側板１３０の端部１３０ａを溝１１０ｅに良好に嵌合させることができる。また、溝１１０ｅの幅Ｗ（図３（ｂ））は、２ｍｍ〜３ｍｍが好適であり、２ｍｍ〜３ｍｍの範囲では、ネック１１０の一端部（ボディ１０５との接合箇所）の強度を維持しつつ、側板１３０の端部１３０ａを溝１１０ｅに安定的に嵌合させることができる。
【００３１】
側板１３０の端部１３０ａ間には、隙間Ｌ（図３（ｄ））が形成されている。側板１３０のそれ以外については、公知のバイオリンと同様である。
【００３２】
本発明の実施形態に係るバイオリン１００の各部材（ネック１１０、側板１３０、裏板１７０、表板１８０、指板１２０、ロワーブロック１５０、コーナーブロック１６０）の材質（木材）は、公知のバイオリンと同様であり（例えば、スプールス、エゾ松、楓、もみの木等）、各部材に適切な木材が適宜用いられる。また、各部材同士は、公知のバイオリンと同様に、ニカワで接着される。
【００３３】
次に、本発明の実施形態に係るバイオリン１００の製造方法を、図面を参照して説明する。
【００３４】
本発明の実施形態に係るバイオリン１００の製造方法は、一端部に溝１１０ｅを有するネックを作製する工程（Ａ）と、溝１１０ｅに側板１３０を嵌合させる工程（Ｂ）と、を含む。
【００３５】
上記工程（Ａ）において、１つの木材から、一端部に溝１１０ｅを有するネック１１０を掘り出して作製する（図３（ａ））。ネック１１０においては、係合部１１０ａと、ボタン連結部１１０ｂと、把持部１１０ｃと、ペグ部１１０ｄと、を各々作製する（図３（ａ））。なお、ネック１１０の各部位の形状や、溝１１０ｅの詳細については、前述の通りである。
【００３６】
上記工程（Ｂ）において、図３（ｄ）に示すように、前述の通りネック１１０の一端部に設けられた溝１１０ｅに、側板１３０の端部１３０ａを裏板側から嵌め込み、ニカワで接着させる。
【００３７】
本発明の実施形態に係るバイオリン１００の製造方法は、上記工程（Ａ）及び（Ｂ）の他、側板１３０の内側に４個のコーナーブロック１６０及びロワーブロック１５０（図２）を設ける工程、側板１３０に表板１８０及び裏板１７０を設置する工程、ネック１１０に指板１２０を付設する工程などを含む。上記工程（Ａ）及び（Ｂ）以外の工程については、公知のバイオリン作製方法と同様である。
【００３８】
本発明の実施形態に係るバイオリン１００では、ネック１１０の反りを低減することができる。従来のバイオリンでは、ネックの端部を単にボディに連結させていただけであった。このため、ネックのボディへの接合は強度の観点から十分とはいえず、弦の張力による経時的なネックの反りを回避することは困難であった。一方、本発明の実施形態に係るバイオリン１００では、ネック１１０の溝１１０ｅに側板１３０の端部１３０ａを嵌合させるため、ネック１１０をより強固にボディ１０５に接合することができる。このため、弦の張力によってもネック１１０が反りづらくなっている。
【００３９】
また、本発明の実施形態に係るバイオリン１００のように、指板を備える弦楽器の場合、指板とボディとの間に隙間があるが、本発明の実施形態に係るバイオリン１００では、経時的な指板下がりをも低減することができる。従来のバイオリンでは、上述の通り、弦の張力による経時的なネックの反りが生じ、それに伴い、指板とボディとの間の隙間に指板が落ち込んでくる“指板下がり”が生じる場合があった。一方、本発明の実施形態に係るバイオリン１００では、上述の通り、ネック１１０の反りを低減することができるため、指板下がりをも低減することができる。
【００４０】
また、従来のバイオリンでは、アッパーブロックとネックとでは材質（木材）が異なっていたり、同じ木材から作製されたとしてもアッパーブロックとネックとで木目が揃っていなかった。このため、アッパーブロックとネックとでは膨張率が異なり、この膨張率の違いに由来して、ネックの反りがみられることがあった。一方、本発明の実施形態に係るバイオリン１００では、アッパーブロックの役割を果たすネック１１０の係合部１１０ａは、ネック１１０の他の部位と同じ材質（木材）であり、当然木目も揃っているため、係合部１１０ａとネック１１０の他の部位とでほぼ同じ膨張率を有する。この観点からも、本発明の実施形態に係るバイオリン１００では、ネック１１０の反りを低減することができる。
【００４１】
また、本発明の実施形態に係るバイオリンでは、前述の通り、ネック１１０をより強固にボディ１０５に接合することができるため、楽器本体の強度が向上している。このため、ボディ１０５の強度を補強する役割を果たす、アッパーブロックとしての係合部１１０ａ及びコーナーブロック１６０の大きさを小さくすることができる。具体的には、係合部１１０ａ及びコーナーブロック１６０（図２）における、裏板１７０との平行面の表面積を小さくすることができる（例えば、アッパーブロックとしての係合部１１０ａの半円形の直径を、従来のアッパーブロックの半円形の直径よりも１ｃｍ程度短くすることができる）。こうすることで、バイオリンを弾く際に、楽器本体のより広い範囲で振動を生じさせることができ、豊かな音量、艶のある音色、楽器の反応の良さなどを実現し得る。
【００４２】
また、本発明の実施形態に係るバイオリン１００では、前述の通り、ネック１１０をより強固にボディ１０５に接合することができるため、裏板１７０に設けられたボタン（図示せず）の破損の可能性を低減させることができる。
【００４３】
なお、この発明は上記実施の形態に限定されず、種々の変形及び応用が可能である。例えば、図４に示すように、突っ張り部材１４０を備えたバイオリンであってもよい。突っ張り部材１４０を備えることで、弦の張力に対してより効果的に対抗することができるため、楽器本体の強度がより向上し、ネック１１０の反りをより大幅に低減することができる。突っ張り部材１４０は、木材（例えば、スプールス）より作製される。また、突っ張り部材１４０は、図４（ｂ）に示すように、ボディ１０５の縦長方向の内側の径とほぼ同じ長さであり、ボディ１０５の内側に架設されている。具体的には、突っ張り部材１４０の両端は、係合部１１０ａの上部の縁の略中央部に設けられた溝１１０ｆ（図４（ｂ））と、ロワーブロック１５０の上部の縁の略中央部に設けられた溝１５０ａ（図４（ｃ））と、に各々差し込まれている（図４（ｂ））。なお、突っ張り部材１４０の端部の幅は、３．５ｍｍ〜４ｍｍが好適であり、３．５ｍｍ〜４ｍｍの範囲では、演奏時のボディ１０５の振動に対する妨害を回避しつつ、突っ張り部材１４０の強度が保たれる。また、突っ張り部材１４０は、変形を防止する観点から、中央部に向かって太くなっていてもよい（図４（ａ））。その場合、突っ張り部材１４０の略中央部の最大幅は、１０ｍｍ〜１１ｍｍが好適であり、１０ｍｍ〜１１ｍｍの範囲では、ボディ１０５内の音の反射に対する妨害の可能性を低くすることができる。
【００４４】
また、図１−図３では、本発明の実施形態に係るバイオリンについて説明したが、本発明は、弦楽器としてはバイオリンに限定されず、ネックとボディとを備える弦楽器（分数楽器を含む）であれば適用可能である。特に指板を備えるヴィオラ、チェロ及びコントラバスに好適である。
【符号の説明】
【００４５】
１０  アッパーブロック
２０  ネック
３０  側板
５０  ボディ
１００  バイオリン
１０５  ボディ
１１０  ネック
１１０ａ  係合部
１１０ｂ  ボタン連結部
１１０ｃ  把持部
１１０ｄ  ペグ部
１１０ｅ  溝
１１０ｆ  溝
１２０  指板
１３０  側板
１３０ａ  端部
１４０  突っ張り部材
１５０  ロワーブロック
１５０ａ  溝
１６０  コーナーブロック
１７０  裏板
１８０  表板
１９０  弦
１９２  ペグ
１９４  テールピース
【図１】
2014203002.tif 000003
【図２】
2014203002.tif 000004
【図３】
2014203002.tif 000005
【図４】
2014203002.tif 000006
【図５】
2014203002.tif 000007